(57)【特許請求の範囲】
【請求項１】
一対の電極に電圧が印加されることにより駆動が行われるアクティブマトリクス型の液晶パネルと、異なる色の単色光を前記液晶パネルに対して順番に出射する照明装置と、を備え、かつ、前記単色光の出射並びに該単色光の色に対応した前記液晶パネルの駆動を短時間で行うことにより各色の画像を短時間で順番に表示して１つのフルカラー画像として認識せしめる表示装置において、
画像信号を一括して前記液晶パネルに印加して所定の画像を表示すると同時に、対応する単色光を前記照明装置から前記液晶パネルに照射して各色の画像を順番に表示し、かつ複数のフルカラー画像を順次認識させる場合に先に表示した画像の影響が少なくなるように、各色の画像を順番に表示する期間と次に各色の画像を順番に表示する期間との間に、画像を認識させない期間を設け、該画像を認識させない期間を、前記照明装置の単色光の出射を停止し、かつ前記液晶パネルに印加される電圧の極性を各色の画像を順番に表示する期間に印加された電圧に対して反転させ、印加電圧のＤＣ成分をキャンセルする期間とすることを特徴とする表示装置。
【請求項２】
前記各色の画像を順番に表示する期間と前記画像を認識させない期間をそれぞれ３フィールド期間として、計６フィールド期間を１フレーム期間とする請求項１に記載の表示装置。
【請求項３】
前記画像を認識させない期間が、１つのフレームの期間内における一の色の画像を表示してから次の色の画像を表示するまでの期間よりも長い、ことを特徴とする請求項１に記載の表示装置。
【請求項４】
表示する画像に緑色の画像を含み、かつ、該緑色の画像は、前記順番に表示する各色の画像のうち最後に表示する、ことを特徴とする請求項１乃至３のいずれか１項に記載の表示装置。
【請求項５】
表示する画像が、赤色、青色及び緑色の画像である、ことを特徴とする請求項１乃至４のいずれか１項に記載の表示装置。
【請求項６】
１つのフレームの期間内における画像を認識させない期間が、そのほぼ半分以上である、ことを特徴とする請求項１乃至５のいずれか１項に記載の表示装置。
【発明の詳細な説明】
【０００１】
【発明の属する技術分野】
本発明は、一般的には、各色の画像を短時間で順番に表示して１つのフルカラー画像として認識せしめる表示装置に関する。
【０００２】
【従来の技術】
従来より、液晶を利用して画像を表示する液晶装置は、パーソナルコンピュータ等の種々の機器において使用されているが、近年は、そのカラー表示化が望まれている。
【０００３】
カラー表示を行う方式としては、図４に示すように、１つのフレーム期間Ｆ1 ，Ｆ2 ，…をそれぞれ均等に３分割して赤・緑・青の色画像（符号ＲＧＢ参照）を短時間で順番に表示し、これらの色画像を残像として人間の眼に記憶させることにより各フレーム期間毎にフルカラー画像を認識させる方式（三原色順次表示方式）がある。なお、この方式には、見かけ上の解像度を３倍程度に向上でき、カラーフィルターを必要としないためにコストを低減でき、さらに開口率を３倍程度にアップして消費電力を低減できるという利点がある。
【０００４】
【発明が解決しようとする課題】
しかしながら、このような方式の液晶装置においては、常にいずれかの色画像ＲＧＢが表示されているため、あるフレーム期間Ｆ2 にて認識せしめたフルカラー画像が、先のフレーム期間Ｆ1 の影響（すなわち、先のフレーム期間Ｆ1 の色画像ＲＧＢが残像として残ることによる影響）を受け、動画を表示する場合には画像品質が悪くなってしまうという問題があった。例えば、
＊  先のフレーム期間Ｆ1 の最後の色画像（図４のＢ）が次のフレーム期間Ｆ2 の最初の色画像（同図のＲ）と重なり、該フレーム期間Ｆ2 において所望の色相が得られなかったり（いわゆる色割れ）、
＊  先のフレーム期間Ｆ1 の３つの色画像（図４のＲＧＢ）で所定の明度の色（例えば、白）を表示すると共に、次のフレーム期間Ｆ2 の３つの色画像（図４のＲＧＢ）で異なる明度の色（例えば、黒）を表示しようとした場合に、該フレーム期間Ｆ2 で、所望の明度が得られず、先のフレーム期間Ｆ1 における白画像の影響を受けて灰色の表示がなされたり（いわゆるボケの発生）、
することがあった。
【０００５】
そこで、本発明は、動画をカラー表示する場合における画質の劣化を防止する表示装置を提供することを目的とするものである。
【０００６】
【課題を解決するための手段】
本発明は上記事情を考慮してなされたものであり、一対の電極に電圧が印加されることにより駆動が行われるアクティブマトリクス型の液晶パネルと、異なる色の単色光を前記液晶パネルに対して順番に出射する照明装置と、を備え、かつ、前記単色光の出射並びに該単色光の色に対応した前記液晶パネルの駆動を短時間で行うことにより各色の画像を短時間で順番に表示して１つのフルカラー画像として認識せしめる表示装置において、画像信号を一括して前記液晶パネルに印加して所定の画像を表示すると同時に、対応する単色光を前記照明装置から前記液晶パネルに照射して各色の画像を順番に表示し、かつ複数のフルカラー画像を順次認識させる場合に先に表示した画像の影響が少なくなるように、各色の画像を順番に表示する期間と次に各色の画像を順番に表示する期間との間に、画像を認識させない期間を設け、該画像を認識させない期間を、前記照明装置の単色光の出射を停止し、かつ前記液晶パネルに印加される電圧の極性を各色の画像を順番に表示する期間に印加された電圧に対して反転させ、印加電圧のＤＣ成分をキャンセルする期間とすることを特徴とする。
【０００７】
【発明の実施の形態】
以下、図１乃至図３を参照して、本発明の実施の形態について説明する。
【０００８】
本実施の形態に係る液晶装置Ｃは、図１に示すように、液晶素子Ｐと照明装置Ａとを備えている。
【０００９】
このうち、液晶素子Ｐは、一対の電極１ａ，１ｂの間に液晶２を配置して構成されており、前記一対の電極１ａ，１ｂに電圧が印加されることにより前記液晶２の駆動が行われるように構成されている。
【００１０】
また、照明装置Ａは、異なる色の単色光を前記液晶素子Ｐに対して順番に出射するようになっている。
【００１１】
そして、この液晶装置Ｃは、前記単色光の出射並びに該単色光の色に対応した前記液晶２の駆動を短時間で行うことにより、各色の画像（図３(a) のＲＧＢ参照）を短時間で順番に表示し、これらの各色画像ＲＧＢが人間の眼に残像として残ることを利用してフルカラー画像として認識させるようにしている（いわゆる三原色順次表示方式）。
【００１２】
また、液晶装置Ｃは、複数のフルカラー画像を順次認識させる場合であって、各色の画像を順番に表示する期間（例えば、図３(b) に符号Ｆ11で示す期間）と次に各色の画像を順番に表示する期間（例えば、図３(b) に符号Ｆ21で示す期間）との間に、画像を認識させない期間（例えば、図３(b) に符号Ｆ12で示す期間であって、以下“非認識期間”とする）を設けている。なお、この非認識期間Ｆ12，…は、１フレーム期間Ｆ1 ，…の後側に設けても良く、前側に設けても良く、前後両側に設けても良い。また、１つのフレームの期間（例えば、Ｆ1 ）内において一の色（例えば、Ｒ）の画像を表示してから次の色（例えば、Ｇ）の画像を表示するまでに“画像が表示されない期間”がある場合、上述した非認識期間Ｆ12，…はこの“画像が表示されない期間”よりも長くすると良い。
【００１３】
なお、この非認識期間Ｆ12，…においては、いずれの画像も認識されなければ良く、そのための具体的方法としては、
＊  前記液晶素子Ｐで黒表示を行うことによる方法（この場合、照明装置Ａの消灯／点灯は問わない）や、
＊  照明装置Ａからの光の出射を停止することによる方法（この場合、液晶素子Ｐが画像を表示するか否かは問わず、仮に液晶素子Ｐに画像が表示されていたとしても該画像が人間の眼に認識されなければ良い）、
を挙げることができる。
【００１４】
また、この非認識期間Ｆ12，…の長さは、先の期間Ｆ11で表示した画像の影響が、次に画像を表示する期間Ｆ21に残らないような長さであれば良く、図３(a) 及び(b) に示すように、１フレーム期間Ｆ1 ，…のほぼ半分であっても、３分の１程度であっても良いが、１フレーム期間Ｆ1 ，…の半分以上であることが好ましい。
【００１５】
一方、表示する画像に緑色の画像を含む場合には、該緑色の画像は、図３(b) の符号Ｇに示すように、前記１つのフレームの期間内に順番に表示する各色の画像のＲ，Ｇ，Ｂうち最後（すなわち、前記非認識期間Ｆ12の直前）に表示するようにすると良い。
【００１６】
また、前記照明装置Ａから出射する単色光を３原色の光（すなわち、赤色の光、青色の光、及び緑色の光）にし、表示する画像を、赤色、青色及び緑色の画像としてもよい。
【００１７】
また一方、照明装置Ａは、上述のように異なる色の単色光を順番に出射するものであればどのような形式であっても良く、
＊  図１に示すように、各単色光を出射する複数の光源２１Ｒ，２１Ｇ，２１Ｂ（例えば冷陰極管）を順番に点灯させるような形式であっても、
＊  白色光を出射する光源と、該白色光を各色光に順番に色分解するダイクロイクミラーや各原色カラーフィルターと、によって構成されたもの、
であっても良い。
【００１８】
ところで、本発明は、いわゆるアクティブマトリクス型の液晶素子のみならず、単純マトリクス型の液晶素子にも適用できる。
【００１９】
次に、本実施の形態の効果について説明する。
【００２０】
本実施の形態によれば、複数のフルカラー画像を順次認識させる場合に、各色の画像を順番に表示する期間Ｆ11と次に各色の画像を順番に表示する期間Ｆ21との間に、画像を認識させない非認識期間Ｆ12を設けているため、先に表示した画像の影響が少なくなり（例えば、あるフレーム期間Ｆ1 の最後の色画像が次のフレーム期間Ｆ2 にも残像として残らず）、動画を表示する場合においても画像品質を良好にでき、上述した色割れやボケの発生を抑制できる。
【００２１】
一方、照明装置Ａに冷陰極管２１Ｒ，…を用いて緑色の光を出射するようにした場合、赤色光や青色光を出射するようにした場合に比べて、残光という問題が顕著に生じ、冷陰極管２１Ｒ，…に印加する電圧をオフにしても緑色の光が完全に減衰するまでに有る程度の時間を要する。従って、緑色用の冷陰極管２１Ｇの電圧をオフにして直に他の色の単色光を出射すると、混色の問題が生ずる。しかし、上述のように、照明装置Ａから出射される光に緑色の光を含む場合には、緑色の画像を前記非認識期間の直前に表示させることにより、上述のような混色の問題は回避できる。
【００２２】
また、上述のように非認識期間に液晶素子Ｐによって黒表示を行った場合には、照明装置Ａに残光があってもその影響は回避できる。
【００２３】
さらに、上述のように非認識期間に照明装置Ａを消灯した場合には、消費電力を節約できる。
【００２４】
【実施例】
以下、実施例に沿って本発明を更に詳細に説明する。
【００２５】
（実施例１）
本実施例においては、液晶素子として、図１及び図２に示すようなアクティブマトリクス型の液晶パネルを用いた。
【００２６】
まず、この液晶パネルＰの構造について説明する。
【００２７】
液晶パネルＰは、１２８０×１０２４のＳＸＧＡ（１７型）とした。
【００２８】
この液晶パネルＰは、所定距離を開けた状態にほぼ平行に配置された一対のガラス基板３ａ，３ｂ（以下、必要に応じて、図示上側のガラス基板３ａを“上基板３ａ”とし、図示下側のガラス基板３ｂを“下基板３ｂ”とする）にて構成し、下基板３ｂの表面には、図２に示すように、順次蓄積用ＴＦＴ５と一括転送用ＴＦＴ６とサンプルホールド用のキャパシタ７と透明な画素電極１ｂとを各画素毎にマトリクス状に配置した。各画素の間には、ゲートライン８と一括書き込みライン９とアースライン１０とを図示Ｘ方向に配線し、データライン１１を図示Ｙ方向に配線した。そして、順次蓄積用ＴＦＴ５のゲートはゲートライン８に接続し、ソースはデータライン１１に接続し、ドレインはキャパシタ７の一端と一括転送用ＴＦＴ６のソースとに接続し、キャパシタ７の他端はアースライン１０に接続した。また、一括転送用ＴＦＴ６のゲートは一括書き込みライン９に接続し、ドレインは画素電極１ｂに接続した。
【００２９】
また、これらのＴＦＴ５，６や画素電極１ｂを覆うように配向膜（不図示）を形成した。
【００３０】
上基板３ａには、画素電極１ｂと対向するように透明な対向電極１ａを形成し、対向電極１ａを覆うように配向膜（不図示）を形成した。
【００３１】
また、基板間隙にはシール材（不図示）を配置し、基板間隙に液晶２を封止することとした。
【００３２】
一方、液晶パネルＰの側方には行ドライバ１２と列ドライバ１３とを配置し、行ドライバ１２には、上述したゲートライン８と一括書き込みライン９とアースライン１０とを接続し、アースライン１０は行ドライバ１２内で接地することとした。なお、その接地電圧は、データライン１１に印加される映像信号の基準電圧であり、対向電極１ａに印加されている電圧に等しい。また、列ドライバ１３には、上述したデータライン１１を接続した。対向電極１ａには所定の電圧（データライン１１に印加される基準電圧）が印加されている。
【００３３】
さらに、液晶パネルＰの両側には一対の偏光板１４，１５を配置した。これら一対の偏光板１４，１５は、それらの透過軸が互いにほぼ直交になるようにし、かつ、一方の偏光板１４又は１５の透過軸と、液晶分子の２つの配向方向の一方とがほぼ平行となるようにした。これにより、液晶分子を第１の配向方向に配向させたときには表示が最も明るくなり、液晶分子を第２の配向方向に配向させたときには表示が最も暗くなり、液晶２による光のスイッチングが可能となる。
【００３４】
また、照明装置としてのバックライト装置Ａは、液晶パネルＰの裏面側に配置した。このバックライト装置Ａは、液晶パネルＰに沿うように配置した透明な導光体２０を備え、導光体２０の側端側には、ＲＧＢ３色の光をそれぞれ出射する３本の冷陰極管２１Ｒ，２１Ｇ，２１Ｂを配置した。なお、これらの冷陰極管２１Ｒ，２１Ｇ，２１Ｂの点灯はバックライト駆動部２２によって制御するようにした。
【００３５】
なお、上述した配向膜は、ポリイミド等の有機高分子化合物にて形成し、ラビング処理を施した。
【００３６】
また、液晶２は配向膜の間隙に配置し、該液晶２には強誘電性液晶を用いた。
【００３７】
次に、本実施例の駆動方法について説明する。
【００３８】
いま、液晶装置Ｃを駆動すると、画像信号が液晶駆動部２３に送られ、Ｒ用の映像信号（Ｒ画像用の階調信号）と、Ｇ用の映像信号（Ｇ画像用の階調信号）と、Ｂ用の映像信号（Ｂ画像用の階調信号）と、同期信号とに分離される。そして、これらの各映像信号は、同期信号に従って列ドライバ１３に送信され、同期信号は列ドライバ１３及び行ドライバ１２等に送信される。
【００３９】
（１）液晶パネルＰへのＲ色画像の表示
（１−１）各キャパシタ７へのＲ用の映像信号の書き込み
図５は、図２に記載の液晶パネルの画素回路を示す回路図、図６は本発明の第一の実施例で用いる液晶の電圧と透過率の関係、いわゆるＶ−Ｔカーブを示す図、図７は本発明の第一の実施例の駆動シーケンスを示すタイミング図である。横軸を時間とし、縦軸は、ゲートライン８と一括書き込みパルス９とソース電位１１と画素電極電位１ｂにおいて、電圧値を示し、バックライトにおいて、照射光量を示し、ｏｐｔｉｃａｌ  ｏｕｔｐｕｔにおいて、光透過量を示す。図９、１０、１３についても同様である。
【００４０】
まず、行ドライバ１２は、第１行のゲートライン８にゲートパルスを印加して第１行の全ての順次蓄積用ＴＦＴ５をオンし、列ドライバ１３は所定の電圧信号を各データライン１１に印加する。これにより、該電圧信号は、上述のようにオンされている第１行の各順次蓄積用ＴＦＴ５を介してキャパシタ７に印加され、該キャパシタ７に蓄えられる。
【００４１】
なお、行ドライバ１２は、一定期間経過後にゲートパルスの印加を停止して順次蓄積用ＴＦＴ５をオフするが、その後も、キャパシタ７は充電電圧を保持する。
【００４２】
このようにして、行ドライバ１２及び列ドライバ１３は、第２行以降のキャパシタ７にも順次映像信号を書きこんで行く。つまり、画像の書き込みは行単位に行われる。
【００４３】
ちなみに、ＳＸＧＡすなわち１２８０（ソースライン１１の本数）×１０２４（ゲートライン８の本数）の解像度を持つパネルを図７に示すシーケンスで駆動した場合、ゲートパルスの印加時間は
１／６０／６／１０２４＝２．７μｓｅｃ
となる。但し、フレーム周波数を６０Ｈｚとする。また、上記式の１／６０を６フィールド期間で割っている意味は、ＲＧＢの各原色表示期間を１フィールド期間、非認識期間を３フィールド期間として、６フィールド期間を１フレーム期間としたためである。
【００４４】
（１−２）液晶パネルＰへのＲ用画像の書き込み
全ての行のキャパシタ７への映像信号の書き込みが終了すると、行ドライバ１２は、一括書き込みライン９に書き換えパルスを印加し、全ての行の一括転送用ＴＦＴ６をオンさせる。これにより、各キャパシタ７に保持されていた映像信号が一括転送用ＴＦＴ６を介して画素電極１ｂに印加され、液晶分子の配向状態が変化し、液晶パネルＰには所定の画像が表示される。なお、行ドライバ１２は、画素電極１ｂの電圧が安定する時点で書き換えパルスの印加を停止して一括転送用ＴＦＴ６をオンするが、映像信号が印加されている画素電極１ｂは、液晶２を挟んだ状態で対向電極１ａと共にキャパシタを構成するため、一括転送用ＴＦＴ６がオフされた後も、映像信号はそのままの大きさで画素電極１ｂに保持され、上述した画像表示は維持される。
【００４５】
（１−３）液晶パネルへのＲ色光の照射
上述した書き換えパルスは、バックライト装置Ａを点灯させるタイミングを指示するためのタイミング信号としてバックライト駆動部２２にも送出され、バックライト駆動部２２は、書き換えパルスを受け取ったと同時（又は所定時関経過後）  にバックライト装置Ａを駆動してＲ色光を液晶パネルＰに対して出射する。これにより、液晶パネルＰに表示されている画像は、Ｒ色の画像として人間の目に認識されることとなる。
【００４６】
図７において、Ｆ１１期間とＦ１２期間において、画素電極電位１ｂの極性が反転しているので、液晶に印加されるＤＣ成分がキャンセルされ、スイッチング特性の劣化を防いでいる。
【００４７】
(2)   液晶パネルＰへのＧ色画像の表示
(2-1)   各キャパシタ７へのＧ用の映像信号の書き込み
上述のようにＲ色の画像を表示している間に、上記(1-1) と同様の方法で、各キャパシタ７へＧ用の映像信号が書き込まれる。
【００４８】
(2-2)   液晶パネルＰへのＧ用画像の書き込み
Ｒ色の場合と同様の方法により、一括転送用ＴＦＴ６がオンされると、液晶パネルＰにはＧ用の画像が表示されることとなる。
【００４９】
(2-3)   液晶パネルへのＧ色光の照射
Ｒ色の場合と同様の方法により、バックライト装置Ａから液晶パネルＰに対してＧ色光が出射される。これにより、液晶パネルＰに表示されている画像は、Ｇ色の画像として人間の眼に認識されることとなる。
【００５０】
(3)   液晶パネルＰへのＢ色画像の表示
上述と同様の方法で、液晶パネルＰにＢ色画像が表示される。
【００５１】
(4)   フルカラー画像の認識
(1) 乃至(3) のようにＲＧＢ色の画像が短時間で順番に表示されるため、人間の眼にはこれらのＲＧＢ画像が残像として残り、その結果、これらのＲＧＢ画像が合成されてフルカラー画像として認識されることとなる。
【００５２】
なお、非認識期間Ｆ１２，Ｆ２２，  …において液晶パネルＰに黒表示させても良く、そのためには黒の階調信号（例えば液晶モードが図６に示すＶ−Ｔ特性を持つ場合はグランド電位）を液晶パネルＰに印加すれば良い。ここで、黒の階調情報を印加する方法としては、図８の画素回路を用い、図９のシーケンスで示すように、グランド電位に一括でリセットできる一括リセットＴＦＴを各画素に設け、表示期間Ｆ１１，Ｆ２１，…の最後又はその近傍で黒の階調信号を一括して画素電極に印加する方法、あるいは、図５の画素回路を用い、図１０のシーケンスに示すように全てのソースラインをグランド電位にする方法とが挙げられる。
【００５３】
図８において、１０１は、一括リセットＴＦＴ、１０２は、一括リセットＴＦＴ制御線であり、１０２は、全画素分束ねて行ドライバ、列ドライバとは別の制御回路（図示せず）に接続され、別の制御回路で制御される。１０３は、リセット電源線であり、任意の電圧を設定可能なリセット電源へ一括に接続されている。
【００５４】
図５、図１０において、１行目〜ｎ行目のゲートライン８及び一括書き込みパルスライン９に同時タイミングで選択パルスを印加し、ＴＦＴ５，６をスイッチオンし、それに同期してソース電位１１に液晶を黒表示（非認識表示）にする基準電位信号を印加して、非認識期間（例えば、Ｆ１２、Ｆ２２）を実現している。
【００５５】
なお、液晶モードによっては、黒表示の手段が異なる。例えば図１１に示すＶ−Ｔ特性を持つ液晶モードの場合は、非表示期間Ｆ１２，Ｆ２２，…において液晶パネルに印加する電圧はＶｓａｔ（図１１参照）である。図１２に示すＶ−Ｔ特性を持つ液晶モードの場合は、図１３のシーケンスで示すように非表示期間Ｆ１２，Ｆ２２，…において液晶パネルに負極性電圧を印加することで黒表示を行うものである。
【００５６】
また、自発分極を持つ液晶を用いた場合、液晶の応答によって画素電極の電位が降下しないように，図１４に示すアンプ構造を画素回路に持たせる方法も考えられるが、この場合も駆動シーケンスとしては図７、図９、図１０、図１３にしめすものと同じである。
【００５７】
図１４の等価回路の基本的動作は、図５の等価回路と同様であある。両者の違いは、サンプルホールド用キャパシタンス７から画素電圧制御用キャパシタンス１０４にデータを転送する際、および画素電圧制御用キャパシタンス１０４から液晶容量にデータを転送する際に、電圧レベルの降下を防ぐ為に転送電圧レベル補償用バッファ１０５、自発分極反転電流補償用バッファ１０６を用いて電荷を注入する点である。
【００５８】
また、非認識期間は、時間的に隣接するフレームを分離するため各原色表示期間の長さ以上とすることが好ましい。
【００５９】
更に、ＲＧＢの各原色表示期間は、図７、図９、図１０、図１３において、等しくしたが、画像表示に悪影響を及ぼさない程度であれば、異なっていても良い。
【００６０】
最後に、本発明で用いられる表示装置として、上記記載のように液晶表示装置の例のみを述べてきたが、本発明は液晶表示装置に限定されるものではない。光学変調素子として、有機ＥＬ素子、等のＥＬ素子、等も挙げられる。また、ＤＭＤ（Ｄｉｇｉｔａｌ  Ｍｉｃｒｏｍｉｒｒｏｒ  Ｄｅｖｉｃｅ）も挙げられる。ＤＭＤとは、半導体基板上に機械的稼動部を設けて光のＯＮ／ＯＦＦを制御する表示デバイスである。用途として、プロジェクタに採用されている。
【００６１】
但し、本発明は、液晶表示装置において、最も顕著に効果を発揮するものであり、液晶表示装置に適用することが最も好ましい。
【００６２】
次に、本実施例の効果について説明する。
【００６３】
本実施例によれば、上述のように非認識期間Ｆ12を設けているため、先に表示した画像の影響が少なくなり（例えば、あるフレーム期間Ｆ1 の最後の色画像が次のフレーム期間Ｆ2 にも残像として残らず）、動画を表示する場合においても画像品質を良好にでき、上述した色割れやボケの発生を抑制できる。
【００６４】
また、本実施例によれば、全キャパシタ７への映像信号（例えば、Ｇ色用の映像信号）の書き込みは、他色の画像（例えば、Ｒ色の画像）を表示している間に行い、かつ、映像信号の画素電極１ｂへの印加を一括して行うようになっている。したがって、各色画像の表示期間を長くでき、その分、液晶パネルの輝度が向上される。
【００６５】
なお、上述した順次蓄積用ＴＦＴ５や一括転送用ＴＦＴ６やキャパシタ７は、従来のＴＦＴの製造する工程と同一の工程を用いて製造でき、あまり複雑にならない。
【００６６】
【発明の効果】
以上説明したように、本発明によると、複数のフルカラー画像を順次認識させる場合に、各色の画像を順番に表示する期間と次に各色の画像を順番に表示する期間との間に、画像を認識させない非認識期間を設けているため、先に表示した画像の影響が少なくなり、動画を表示する場合においても画像品質を良好にでき、上述した色割れやボケの発生を抑制できる。
【００６７】
一方、照明装置に冷陰極管を用いて緑色の光を出射するようにした場合、残光という問題を生じ、冷陰極管に印加する電圧をオフにしても緑色の光が完全に減衰するまでに有る程度の時間を要する。従って、緑色用の冷陰極管の電圧をオフにして直に他の色の単色光を出射すると、混色の問題が生ずる。しかし、上述のように、照明装置から出射される光に緑色の光を含む場合には、緑色の画像を前記非認識期間の直前に表示させることにより、上述のような混色の問題は回避できる。
【図面の簡単な説明】
【図１】本発明に係る液晶装置の構造の一例を示す斜視図。
【図２】本発明に係る液晶装置の構造の一例を示す回路図。
【図３】本発明に係る液晶装置の画像表示の様子を説明するための図。
【図４】従来の液晶装置の画像表示の様子を説明するための図。
【図５】図２に記載の液晶パネルの画素回路を示す回路図。
【図６】本発明の第一の実施例で用いる液晶の電圧と透過率の関係、いわゆるＶ−Ｔカーブを示す図。
【図７】本発明の第一の実施例の駆動シーケンスを示すタイミング図。
【図８】液晶パネルの画素回路を示す回路図。
【図９】本発明の第二の実施例の駆動シーケンスを示すタイミング図。
【図１０】本発明の第三の実施例の駆動シーケンスを示すタイミング図。
【図１１】Ｖ−Ｔ特性を持つ液晶モードを示す図。
【図１２】Ｖ−Ｔ特性を持つ液晶モードを示す図。
【図１３】本発明の第四の実施例の駆動シーケンスを示すタイミング図。
【図１４】液晶パネルの画素回路を示す回路図。
【符号の説明】
１ａ  画素電極
１ｂ  対向電極
２  液晶
Ａ  バックライト装置（照明装置）
Ｃ  液晶装置
Ｆ1  １つのフレームの期間
Ｆ11  各色の画像を順番に表示する期間
Ｆ12  いずれの画像も認識させない期間
Ｐ  液晶パネル（液晶素子）
【図１】
0003667175.tif 000002
【図２】
0003667175.tif 000003
【図３】
0003667175.tif 000004
【図４】
0003667175.tif 000005
【図５】
0003667175.tif 000006
【図６】
0003667175.tif 000007
【図７】
0003667175.tif 000008
【図８】
0003667175.tif 000009
【図９】
0003667175.tif 000010
【図１０】
0003667175.tif 000011
【図１１】
0003667175.tif 000012
【図１２】
0003667175.tif 000013
【図１３】
0003667175.tif 000014
【図１４】
0003667175.tif 000015